【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
以下のものを含むクリーニングキット：
（ａ）第一液密容器；
（ｂ）前記第一液密容器内に受容されるように適応された第二液密容器、但し第二液密容器は、運搬時の取り扱いによって起こされる偶然の破裂を減少するように適応されたバッフルを有する；
（ｃ）前記第二液密容器中のクリーニング液、但し前記第二液密容器は、前記クリーニング液を前記第二液密容器から前記第一液密容器中へ放出するように前記第一液密容器中に位置されながら開放可能であるように適応されている；及び
（ｄ）前記第二液密容器の外縁の少なくとも一部に沿った破壊可能な封止、但し前記破壊可能な封止は、ＡＳＴＭ試験Ｆ１１４０−０７（２００７）に従って試験されるときに約３０インチの水より大きい使用者による前記第二液密容器への圧力の付与によって破壊される。
【請求項２】
前記第一液密容器中に少なくとも一つの吸収材アプリケーターをさらに含む、請求項１に記載のクリーニングキット。
【請求項３】
前記少なくとも一つの吸収材アプリケーターが、ワイパー、モップ、綿棒、手袋、長手袋、パッド、及びそれらの組み合わせからなる群から選択される、請求項２に記載のクリーニングキット。
【請求項４】
前記少なくとも一つの吸収材アプリケーターが、使用時に極めて少量の汚染物しか生成しないワイパーの使用を要求するクリーンルームに使用するためのワイパーである、請求項３に記載のクリーニングキット。
【請求項５】
前記少なくとも一つの吸収材アプリケーターが、積み重ねを形成する複数の前記ワイパーを含む、請求項４に記載のクリーニングキット。
【請求項６】
前記少なくとも一つの吸収材アプリケーターが、編布、織布、不織布、フォーム、メッシュ、スポンジ、及びそれらの組み合わせからなる群から選択された材料から作られる、請求項４に記載のクリーニングキット。
【請求項７】
前記第一液密容器が、前記第二液密容器を受容するための開口を有するパウチである、請求項１に記載のクリーニングキット。
【請求項８】
前記パウチが、側部及び前記開口を形成するように縁を一緒に接合した単一のシート材料から形成された折りたたみパウチである、請求項７に記載のクリーニングキット。
【請求項９】
前記パウチが、側部及び前記開口を形成するように縁を一緒に接合した二枚のシート材料から形成された３側部封止パウチである、請求項７に記載のクリーニングキット。
【請求項１０】
前記パウチの開口が、前記第二液密容器を受容した後に前記開口を横切って封止可能である、請求項７に記載のクリーニングキット。
【請求項１１】
前記パウチが、使用時に前記第一液密容器を開放した後に再封止可能である、請求項７に記載のクリーニングキット。
【請求項１２】
前記パウチが、再封止可能な剥離及び封止パウチである、請求項１１に記載のクリーニングキット。
【請求項１３】
前記パウチが、前記開口を常態ではカバーするフラップ、及び開放後に前記第一液密容器を再封止するように適応された感圧性接着剤をさらに含む、請求項１１に記載のクリーニングキット。
【請求項１４】
前記パウチが、開放後に前記第一液密容器を再封止するように適応された再封止可能なスライダージッパーを含む、請求項１１に記載のクリーニングキット。
【請求項１５】
前記パウチが、開放後に前記第一液密容器を再封止するように適応された再封止可能な圧力ジッパーを含む、請求項１１に記載のクリーニングキット。
【請求項１６】
前記パウチが、プラスチックフィルムから形成されている、請求項７に記載のクリーニングキット。
【請求項１７】
前記プラスチックフィルムが、単一層プラスチックフィルムである、請求項１６に記載のクリーニングキット。
【請求項１８】
前記プラスチックフィルムが、多層の複合プラスチックフィルムである、請求項１６に記載のクリーニングキット。
【請求項１９】
前記プラスチックフィルムが、熱可塑性フィルムである、請求項１６に記載のクリーニングキット。
【請求項２０】
使用者によって容器に圧力を付与することによって破裂されるように適応された改良された液体容器であって、以下のものを含む容器：
（ａ）液密パウチ；
（ｂ）運搬時の取り扱いによって起こされる偶然の破裂を減少するように適応された、前記パウチを少なくとも部分的に横切って延びるバッフル；及び
（ｃ）前記パウチの外縁の少なくとも一部に沿った破壊可能な封止、但し前記破壊可能な封止が、ＡＳＴＭ試験Ｆ１１４０−０７（２００７）に従って試験されるときに約３０インチの水より大きい使用者による前記容器への圧力の付与によって破壊される。
【請求項２１】
前記バッフルが、部分的な溶接線、複数の離隔された溶接点線、複数の溶接散乱線、単一の溶接ドット、複数の離隔された溶接ドット、単一のギザギザ継目、複数のギザギザ継目、複数の溶接交差線、及びそれらの組み合わせからなる群から選択される、請求項２０に記載の容器。
【請求項２２】
前記バッフルが、熱封止、ＲＦ溶接、超音波溶接、接着剤、又はそれらの組み合わせのうちの一つによって前記パウチの対向する面を一緒に接合することによって形成されている、請求項２１に記載の容器。
【請求項２３】
前記バッフルが、使用時に不連続である、請求項２０に記載の容器。
【請求項２４】
前記バッフルが、前記パウチの一部を横切って延びている、請求項２３に記載の容器。
【請求項２５】
前記バッフルが、前記パウチを完全に横切って延び、かつ使用者が前記容器に圧力を付与することによって破裂されるように適応されている、請求項２３に記載の容器。
【請求項２６】
前記パウチが、シート材料の対向する縁の少なくとも一対を封止することによって形成されたパウチであり、前記パウチの封止された縁の少なくとも一部が破壊可能な封止である、請求項２０に記載の容器。
【請求項２７】
前記パウチの上縁が、前記容器が液体を充填された後に作られる上縁の破壊可能な封止を含む、請求項２６に記載の容器。
【請求項２８】
前記パウチが、折りたたみパウチであり、前記折りたたみパウチの封止された縁の少なくとも一部が破壊可能な封止である、請求項２６に記載の容器。
【請求項２９】
前記バッフルが、液体の充填後に約３０％〜約８０％の有効容積を与えるように適応され、前記破壊可能な封止の強度が、ＡＳＴＭ試験Ｆ１１４０−０７（２００７）に従って試験されるときに約３０インチの水〜約８０インチの水である、請求項２０に記載の容器。
【請求項３０】
前記バッフルが、液体の充填後に約４０％〜約７０％の有効容積を与えるように適応され、前記破壊可能な封止の強度が、ＡＳＴＭ試験Ｆ１１４０−０７（２００７）に従って試験されるときに約４０インチの水〜約７０インチの水である、請求項２９に記載の容器。
【請求項３１】
前記バッフルが、液体の充填後に約３０％〜約６５％の有効容積を与えるように適応され、前記破壊可能な封止の強度が、ＡＳＴＭ試験Ｆ１１４０−０７（２００７）に従って試験されるときに約４５インチの水〜約６５インチの水である、請求項３０に記載の容器。
【請求項３２】
前記バッフルが、液体の充填後に約６０％の有効容積を与えるように適応され、前記破壊可能な封止の強度が、ＡＳＴＭ試験Ｆ１１４０−０７（２００７）に従って試験されるときに約５５インチの水である、請求項３０に記載の容器。
【請求項３３】
以下のものを含むクリーニングキット：
（ａ）第一液密容器；
（ｂ）前記第一液密容器内に受容されるように適応された第二液密容器であって、使用者によって前記第一液密容器に圧力を付与することによって破壊される第二液密容器、但し前記第二液密容器は、（ｉ）封止可能な液密パウチ；（ｉｉ）運搬時の取り扱いによって起こされる偶然の破裂を減少するように適応された、前記パウチを少なくとも部分的に横切って延びるバッフル、及び（ｉｉｉ）前記パウチの外縁の少なくとも一部に沿った破壊可能な封止を含み、前記破壊可能な封止は、ＡＳＴＭ試験Ｆ１１４０−０７（２００７）に従って試験されるときに約３０インチの水より大きい使用者による第二液密容器への圧力の付与によって破壊される；
（ｃ）前記第二液密容器中のクリーニング液、但し前記第二液密容器は、前記クリーニング液を前記第二液密容器から前記第一液密容器中へ放出するように前記第一液密容器中に位置されながら開放可能であるように適応されている；及び
（ｄ）前記第一液密容器中の少なくとも一つの吸収材アプリケーターであって、前記第一液密容器中で前記第二液密容器に隣接し、それによって第二液密容器からの液体の放出が前記第一液密容器中の前記少なくとも一つの吸収材アプリケーターに付与される、吸収材アプリケーター。
【請求項３４】
前記少なくとも一つの吸収材アプリケーターが、ワイパー、モップ、綿棒、手袋、長手袋、パッド、及びそれらの組み合わせからなる群から選択される、請求項３３に記載のクリーニングキット。
【請求項３５】
前記少なくとも一つの吸収材アプリケーターが、使用時に極めて少量の汚染物しか生成しないワイパーの使用を要求するクリーンルームに使用するためのワイパーである、請求項３４に記載のクリーニングキット。
【請求項３６】
前記少なくとも一つの吸収材アプリケーターが、積み重ねを形成する複数の前記ワイパーを含む、請求項３５に記載のクリーニングキット。
【請求項３７】
前記少なくとも一つの吸収材アプリケーターが、編布、織布、不織布、フォーム、メッシュ、スポンジ、及びそれらの組み合わせからなる群から選択された材料から作られる、請求項３５に記載のクリーニングキット。
【請求項３８】
前記第一液密容器が、前記第二液密容器を受容するための開口を有するパウチである、請求項３３に記載のクリーニングキット。
【請求項３９】
前記パウチが、側部及び前記開口を形成するように縁を一緒に接合した単一のシート材料から形成された折りたたみパウチである、請求項３８に記載のクリーニングキット。
【請求項４０】
前記パウチが、側部及び前記開口を形成するように縁を一緒に接合した二枚のシート材料から形成された３側部封止パウチである、請求項３８に記載のクリーニングキット。
【請求項４１】
前記パウチの開口が、前記第二液密容器を受容した後に前記開口を横切って封止可能である、請求項３８に記載のクリーニングキット。
【請求項４２】
前記パウチが、使用時に前記第一液密容器を開放した後に再封止可能である、請求項３８に記載のクリーニングキット。
【請求項４３】
前記パウチが、再封止可能な剥離及び封止パウチである、請求項４２に記載のクリーニングキット。
【請求項４４】
前記パウチが、前記開口を常態ではカバーするフラップ、及び開放後に前記第一液密容器を再封止するように適応された感圧性接着剤をさらに含む、請求項４２に記載のクリーニングキット。
【請求項４５】
前記パウチが、開放後に前記第一液密容器を再封止するように適応された再封止可能なスライダージッパーを含む、請求項４２に記載のクリーニングキット。
【請求項４６】
前記パウチが、開放後に前記第一液密容器を再封止するように適応された再封止可能な圧力ジッパーを含む、請求項４２に記載のクリーニングキット。
【請求項４７】
前記パウチが、プラスチックフィルムから形成されている、請求項３８に記載のクリーニングキット。
【請求項４８】
前記プラスチックフィルムが、単一層プラスチックフィルムである、請求項４７に記載のクリーニングキット。
【請求項４９】
前記プラスチックフィルムが、多層の複合プラスチックフィルムである、請求項４７に記載のクリーニングキット。
【請求項５０】
前記プラスチックフィルムが、熱可塑性フィルムである、請求項４７に記載のクリーニングキット。
【請求項５１】
前記バッフルが、部分的な溶接線、複数の離隔された溶接点線、複数の溶接散乱線、単一の溶接ドット、複数の離隔された溶接ドット、単一のギザギザ継目、複数のギザギザ継目、複数の溶接交差線、及びそれらの組み合わせからなる群から選択される、請求項３３に記載のクリーニングキット。
【請求項５２】
前記バッフルが、熱封止、ＲＦ溶接、超音波溶接、接着剤、又はそれらの組み合わせのうちの一つによって前記パウチの対向する面を一緒に接合することによって形成されている、請求項５１に記載のクリーニングキット。
【請求項５３】
前記バッフルが、使用時に不連続である、請求項３３に記載のクリーニングキット。
【請求項５４】
前記バッフルが、前記パウチの一部を横切って延びている、請求項５３に記載のクリーニングキット。
【請求項５５】
前記バッフルが、前記パウチを完全に横切って延び、かつ運搬時又は使用者による使用時に前記第一液密容器に圧力を付与することによって破裂されるように適応されている、請求項５３に記載のクリーニングキット。
【請求項５６】
前記パウチが、シート材料の対向する縁の少なくとも一対を封止することによって形成されたパウチであり、前記パウチの封止された縁の少なくとも一部が破壊可能な封止である、請求項３３に記載のクリーニングキット。
【請求項５７】
前記パウチの上縁が、前記容器が液体を充填された後に作られる上縁の破壊可能な封止を含む、請求項５６に記載のクリーニングキット。
【請求項５８】
前記パウチが、折りたたみパウチであり、前記折りたたみパウチの封止された縁の少なくとも一部が破壊可能な封止である、請求項５６に記載のクリーニングキット。
【請求項５９】
前記バッフルが、液体の充填後に約３０％〜８０％の有効容積を与えるように適応され、前記破壊可能な封止の強度が、ＡＳＴＭ試験Ｆ１１４０−０７（２００７）に従って試験されるときに約３０インチの水〜約８０インチの水である、請求項３３に記載のクリーニングキット。
【請求項６０】
前記バッフルが、液体の充填後に約４０％〜約７０％の有効容積を与えるように適応され、前記破壊可能な封止の強度が、ＡＳＴＭ試験Ｆ１１４０−０７（２００７）に従って試験されるときに約４０インチの水〜約７０インチの水である、請求項５９に記載のクリーニングキット。
【請求項６１】
前記バッフルが、液体の充填後に約３０％〜約６５％の有効容積を与えるように適応され、前記破壊可能な封止の強度が、ＡＳＴＭ試験Ｆ１１４０−０７（２００７）に従って試験されるときに約４５インチの水〜約６５インチの水である、請求項６０に記載のクリーニングキット。
【請求項６２】
前記バッフルが、液体の充填後に約６０％の有効容積を与えるように適応され、前記破壊可能な封止の強度が、ＡＳＴＭ試験Ｆ１１４０−０７（２００７）に従って試験されるときに約５５インチの水である、請求項６０に記載のクリーニングキット。
【手続補正２】
【補正対象書類名】図面
【補正対象項目名】図７
【補正方法】削除
【補正の内容】